(57)【要約】【課題】引抜タブと光ファイバコードまたは光ファイバテープ心線との間に、隣接する他の引抜タブが簡単に入り込まないようにする。【解決手段】アダプタ５０に対して光コネクタプラグをその操作部１５に脱着可能に装着した引抜タブ１７によって係脱するものとした光コネクタプラグの引抜タブ１７において、前記引抜タブ１７は、前記光コネクタプラグの操作部１５に装着するためのタブ先端に設けた掛止め機構（１９、２１、４５）と、光コードＫを把持するためにタブの最後端に設けた支持部（２０、２３、４７）とを備えてなる。【選択図】図１
2018049045.tif 000002
【特許請求の範囲】
【請求項１】
アダプタに対して光コネクタプラグをその操作部に脱着可能に装着した引抜タブによって係脱するものとした光コネクタプラグの引抜タブにおいて、
前記引抜タブは、前記光コネクタプラグの操作部に装着するためのタブ先端に設けた掛止め機構と、光コードを把持するためにタブの最後端に設けた支持部とを備えてなることを特徴とする光コネクタプラグの引抜タブ。
【請求項２】
前記掛止め機構は、ＬＣ型単心の光コネクタプラグの操作部に装着するためのタブ先端に設けたセット穴にて形成され、前記支持部は、光コードを把持するためにタブ後方に延設された把持部の下面最後端に下向きＣリング状のフックとなって形成されてなる請求項１記載の光コネクタプラグの引抜タブ。
【請求項３】
前記掛止め機構は、ＬＣ型単心の一対の光コネクタプラグの一対の操作部に各装着するためのタブ先端に設けた一対のセット穴となって形成され、前記支持部は、一対の光コードを把持するためにタブ後方に延設された把持部の下面最後端に略リング状のフックとなって形成されてなる請求項１記載の光コネクタプラグの引抜タブ。
【請求項４】
前記掛止め機構は、ＬＣ型二心の光コネクタプラグの左右一対の係止凹部相互にわたって装着するためのタブ先端に設けた平面視Ｔ字型の突片部にて形成され、前記支持部は、光コードを載せるためにタブ後方に延設された把持部の側面最後端に横向きＬ字状の引掛け部となって形成されてなる請求項１記載の光コネクタプラグの引抜タブ。
【請求項５】
前記掛止め機構は、ＭＰＯ型のプッシュプル方式による光コネクタプラグの操作部を構成するカップリングに側方から装着するためにタブ先端に設けた横向きコ字状枠と、タブ後方に延設された把持部の側面最後端において横向きに突設された後部突起及び把持部の側面中間において横向きに突設された中間突起の相互によって光ファイバテープ心線を上下交互に引掛けてスライド自在となって把持可能とした支持部とを備えてなることを特徴とする光コネクタプラグの引抜タブ。
【発明の詳細な説明】
【技術分野】
【０００１】
本発明は、光ファイバを接続するときに用いられる光コネクタプラグに係り、アダプタに対する装着および抜脱の操作性を向上させるために使用される光コネクタプラグの引抜タブに関する。
【背景技術】
【０００２】
従来、この種の光コネクタプラグは、そのプラグハウジングの外周面に、アダプタとの係合およびその解除を行うためのラッチが一体的に設けられている。このラッチは、プラグハウジングの先端部から後端部に向かって徐々にプラグハウジング外表面から離れるように傾斜して延設されている。この光コネクタプラグがアダプタに装着されている場合、当該アダプタの後端にラッチが僅かに突出する。そして、アダプタから光コネクタプラグを抜脱する際には、このラッチを指先で直接押し下げて係合を解除する。
【０００３】
また、この種の光コネクタプラグは、その本体フレーム側に、ラッチの後端部に係合させたラッチ解除部材を別個に設け、このラッチ解除部材を介して間接的にラッチを押し下げてアダプタに対する係合を解除するタイプもある。
【０００４】
例えば、特許文献１に開示されているように、プラグ本体の両側面における前側に設けた一方のストッパおよび後側に所定の間隔を置いて設けた他方のストッパの両ストッパによってプラグ本体の軸方向の規制範囲に移動可能に装着されたラッチ解除部材としてのスライダを備え、アダプタからの抜脱時にスライダを抜脱方向に移動させることでスライダのテーパ面で解除レバーの解除片を押し下げ、係止片とアダプタの係合が解除され、スライダがアダプタから抜脱されると同時に解除レバーの弾性力によりプラグ本体および解除レバーは初期位置に復帰するものとし、該スライダの後方端の少なくとも上下いずれかには、操作時に把持するための操作部を備えるとともに、このスライダの操作部には、当該スライダを後方の光コード側で操作可能とする引抜タブが着脱可能に装着され、さらに引抜タブの下面略中央に光コードを把持するためのＣリング状のフックが形成されてなるプッシュプルタイプの光コネクタプラグの引抜タブが存在する。
【０００５】
また、特許文献２に開示されているように、光コネクタプラグを保持するハウジング内に軸方向移動自在に設けられたラッチ解除部材を具備し、ハウジングをアダプタ側に移動することにより光コネクタプラグをアダプタに挿入してラッチをアダプタに係合することができ、一方、ハウジングを逆方向に移動することにより、ラッチ解除部材がハウジングに対して前方側に相対移動してラッチの後端部を押圧してアダプタとの係合を解除できるものとしたプッシュプルタイプの光コネクタ組立体なる技術が存在する。
【０００６】
ところで、従来においては、ＳＭ型光ファイバ単心線を一括低損失接続するための高密度多心ケーブルの開発に伴い、高密度で能率良く光ファイバを接続できる多心一括コネクタが使用されている。この接続方式は多心の光ファイバを位置決め固定したフェルール同士を２本のガイドピンで位置合わせして嵌合する方式で、このコネクタは光ファイバテープ心線の一括接続に加え、機械的な高速切り替えにも適用できることからＭＴコネクタと呼ばれ、近年、アクセス系多心ケーブルの４心、８心、１２心光ファイバテープ接続用コネクタとして実用化されている。
【０００７】
一方、近年においては、超多心ケーブルの接続用にさらに多心の２４心、７２心一括コネクタとしてプッシュプル操作で容易に着脱できるようにしたＭＰＯ型光コネクタも実用化されている。
【先行技術文献】
【特許文献】
【０００８】
【特許文献１】特許第５１５４９８５号公報
【特許文献２】特開２００１−１４１９６１号公報
【発明の概要】
【発明が解決しようとする課題】
【０００９】
しかしながら、上記したＭＰＯ型光コネクタや特許文献２で示した所謂プッシュプルタイプの光コネクタプラグにおいては、上記した特許文献１の引抜タブが装着されたパッチコード（継ぎはぎコード）になり、光コネクタの高密度実装におけるように多くの本数を束ねた場合、引抜タブと光ファイバコードまたは光ファイバテープ心線との間に、隣接する他の光コネクタプラグの引抜タブが入り込んで絡まる現象が生じて扱い難くなるという問題がある。
【００１０】
従来、このような問題を解消するために、特許文献１に示すようにフック部材を用いた技術が提示されている。しかし、本技術では、図８に示すように、引抜タブ１０１Ａの下面略中央にＣリング状のフック１０２Ａが形成されていることから、光コネクタプラグ１００Ａに引抜タブ１０１Ａが装着されて、このフック１０２Ａ後方における引抜タブ１０１Ａの後端部と光ファイバコード１０３Ａとの隙間に、隣接する他の光コネクタプラグ１００Ｂの下面略中央に形成されたフック１０２Ｂの後方における引抜タブ１０１Ｂの後端部側が簡単に入り込んで絡まるという現象が生じてしまうことが多々あった。
【００１１】
そこで、本発明は、叙上のような従来存した諸事情に鑑み案出されたもので、引抜タブの最後端に光ファイバコードまたは光ファイバテープ心線を把持する構造を設けることで、引抜タブと光ファイバコードまたは光ファイバテープ心線との間に、隣接する他の引抜タブが簡単に入り込まないようにする光コネクタプラグの引抜タブを提供することを目的とする。
【課題を解決するための手段】
【００１２】
上述した課題を解決するために、本発明にあっては、アダプタに対して光コネクタプラグをその操作部に脱着可能に装着した引抜タブによって係脱するものとした光コネクタプラグの引抜タブにおいて、
前記引抜タブは、前記光コネクタプラグの操作部に装着するためのタブ先端に設けた掛止め機構と、光コードを把持するためにタブの最後端に設けた支持部とを備えてなることを特徴とする。
【００１３】
前記掛止め機構は、ＬＣ型単心の光コネクタプラグの操作部に装着するためのタブ先端に設けたセット穴にて形成され、前記支持部は、光コードを把持するためにタブ後方に延設された把持部の下面最後端に下向きＣリング状のフックとなって形成されてなる。
【００１４】
前記掛止め機構は、ＬＣ型単心の一対の光コネクタプラグの一対の操作部に各装着するためのタブ先端に設けた一対のセット穴となって形成され、前記支持部は、一対の光コードを把持するためにタブ後方に延設された把持部の下面最後端に略リング状のフックとなって形成されてなる。
【００１５】
前記掛止め機構は、ＬＣ型二心の光コネクタプラグの左右一対の係止凹部相互にわたって装着するためのタブ先端に設けた平面視Ｔ字型の突片部にて形成され、前記支持部は、光コードを載せるためにタブ後方に延設された把持部の側面最後端に横向きＬ字状の引掛け部となって形成されてなる。
【００１６】
前記掛止め機構は、ＭＰＯ型のプッシュプル方式による光コネクタプラグの操作部を構成するカップリングに側方から装着するためにタブ先端に設けた横向きコ字状枠と、タブ後方に延設された把持部の側面最後端において横向きに突設された後部突起及び把持部の側面中間において横向きに突設された中間突起の相互によって光ファイバテープ心線を上下交互に引掛けてスライド自在となって把持可能とした支持部とを備えてなることを特徴とする。
【発明の効果】
【００１７】
本発明によれば、引抜タブの最後端に光ファイバコードまたは光ファイバテープ心線を把持する構造を設けることで、引抜タブと光ファイバコードまたは光ファイバテープ心線との間に、隣接する他の引抜タブが簡単に入り込まないようにすることができ、しかも光コネクタプラグとしては、ＬＣ型単心、ＬＣ型二心、ＭＰＯ型、ＳＣ型等のいずれにも対応可能とした光コネクタプラグの引抜タブを提供することができる。
【００１８】
すなわち、本発明にあっては、アダプタに対して光コネクタプラグをその操作部に脱着可能に装着した引抜タブによって係脱するものとした光コネクタプラグの引抜タブにおいて、
前記引抜タブは、前記光コネクタプラグの操作部に装着するためのタブ先端に設けた掛止め機構と、光コードを把持するためにタブの最後端に設けた支持部とを備えてなるので、引抜タブの後端で光ファイバコードを把持している支持部によって、引抜タブと光ファイバコードとの間への、隣接する他の引抜タブの侵入による絡まりを未然に阻止することができる。
【００１９】
前記掛止め機構は、ＬＣ型単心の光コネクタプラグの操作部に装着するためのタブ先端に設けたセット穴にて形成され、前記支持部は、光コードを把持するためにタブ後方に延設された把持部の下面最後端に下向きＣリング状のフックとなって形成されてなるので、ＬＣ型単心の光コネクタプラグのスライダの操作部および光コードへの引抜タブの着脱が容易に行える。
【００２０】
前記掛止め機構は、ＬＣ型単心の一対の光コネクタプラグの一対の操作部に各装着するためのタブ先端に設けた一対のセット穴となって形成され、前記支持部は、一対の光コードを把持するためにタブ後方に延設された把持部の下面最後端に略リング状のフックとなって形成されてなるので、一対のＬＣ型単心の光コネクタプラグにおけるスライダの一対の操作部および一対の光コードへの引抜タブの着脱が容易に行える。
【００２１】
前記掛止め機構は、ＬＣ型二心の光コネクタプラグの左右一対の係止凹部相互にわたって装着するためのタブ先端に設けた平面視Ｔ字型の突片部にて形成され、前記支持部は、光コードを載せるためにタブ後方に延設された把持部の側面最後端に横向きＬ字状の引掛け部となって形成されてなるので、ＬＣ型二心の光コネクタプラグのスライダ上面の係止凹部および光コードへの引抜タブの着脱が容易に行える。
【００２２】
前記掛止め機構は、ＭＰＯ型のプッシュプル方式による光コネクタプラグの操作部を構成するカップリングに側方から装着するためにタブ先端に設けた横向きコ字状枠と、タブ後方に延設された把持部の側面最後端において横向きに突設された後部突起及び把持部の側面中間において横向きに突設された中間突起の相互によって光ファイバテープ心線を上下交互に引掛けてスライド自在となって把持可能とした支持部とを備えてなるので、引抜タブの後端で光ファイバテープ心線を把持している支持部によって、引抜タブと光ファイバテープ心線との間への、隣接する引抜タブの侵入による絡まりを未然に阻止することができる。また、ＭＰＯ型のプッシュプル方式による光コネクタプラグのカップリングおよび光ファイバテープ心線への引抜タブの着脱が容易に行える。
【図面の簡単な説明】
【００２３】
【図１】本発明を実施するための一形態における引抜タブをＬＣ型単心の光コネクタプラグに使用した一例を示し、（ａ）は引抜タブを操作部に装着する前状態の斜視図、（ｂ）は引抜タブを操作部に装着した後状態の斜視図である。
【図２】同じく引抜タブをＬＣ型単心の光コネクタプラグに使用した一例を示し、（ａ）は引抜タブを操作部に装着する前状態の断面図、（ｂ）は引抜タブを操作部に装着した後状態の断面図である。
【図３】同じく引抜タブをＬＣ型単心の一対の光コネクタプラグに使用した一例を示し、（ａ）は引抜タブを操作部に装着する前状態の斜視図、（ｂ）は引抜タブを操作部に装着した後状態の斜視図である。
【図４】同じく引抜タブをＬＣ型二心の光コネクタプラグに使用した一例を示し、（ａ）は引抜タブを操作部に装着する前状態の斜視図、（ｂ）は引抜タブを操作部に装着した状態の斜視図である。
【図５】同じくＬＣ型二心の光コネクタプラグの一部を示し、（ａ）はスライダと保持体を構成する上部ホルダー部との分解斜視図、（ｂ）はスライダと上部ホルダーの組み込み後のスライダの動作を説明する工程図である。
【図６】同じく引抜タブをＬＣ型二心の光コネクタプラグに使用した一例を示し、（ａ）は引抜タブを操作部に装着する前状態の断面図、（ｂ）は引抜タブを操作部に装着した後状態の断面図である。
【図７】同じく引抜タブをＭＰＯ型の光コネクタプラグに使用した一例を示し、（ａ）は引抜タブの斜視図、（ｂ）は光コネクタプラグの斜視図である。
【図８】同じく引抜タブをＭＰＯ型の光コネクタプラグに使用した一例を示し、（ａ）は引抜タブを操作部に装着した状態の斜視図、（ｂ）は光ファイバテープ心線を支持部に装着した後状態の斜視図である。
【図９】従来例を示すもので、（ａ）は従来例における引抜タブ同士の絡まり状態を示す斜視図、（ｂ）は従来のアダプタの一例を示す縦断面図である。
【発明を実施するための形態】
【００２４】
以下、図面を参照して本発明に係る光コネクタプラグの引抜タブの実施の一形態を詳細に説明する。
【００２５】
＜ＬＣ型単心の光コネクタプラグの構成＞
本発明に係る光コネクタプラグは、例えばＬＣ型単心のプラグ本体１によって構成されており、該プラグ本体１は、図１（ａ）、図１（ｂ）、図２（ａ）、図２（ｂ）に示すように、比較的高強度なプラスチックから成るカップリングスリーブ２と、このカップリングスリーブ２内のフェルール用チューブ３およびフェルールフレーム４から成るフェルール５と、前記フェルールフレーム４の後端部外周に装着され、フェルール５をカップリングスリーブ２内で軸方向前方に付勢保持するスプリング６と、このスプリング６を介してフェルールフレーム４の後端部に嵌合するプラスチック製の本体フレーム７と、この本体フレーム７の後方にて光ファイバ心線Ｆを保護して変形による断線等を防止するためのカシメリング８を備えた熱収縮チューブ９と、前記本体フレーム７の後方にカシメリング８を介して外嵌され熱収縮チューブ９の一部を被覆するブーツ１０とを具備する。
【００２６】
また、図１（ａ）、図１（ｂ）、図３（ａ）、図３（ｂ）に示すように、カップリングスリーブ２の外周面には、図９（ｂ）に示すアダプタ５０との係合およびその解除を行うための、幅方向両側面の略中央に係止片１２を備え、且つ図２（ａ）、図２（ｂ）に示すように、後端の左右対称位置に軸方向に対して横向きに突出した一対の解除片１１ａを備えた解除レバー１１がカップリングスリーブ２上部に一体的に設けられている。この解除レバー１１は、プラグ本体１のカップリングスリーブ２の長手方向の一面において、先端部から後端部に向かって徐々にカップリングスリーブ２外表面から離れるように傾斜して延設されており、その後端部の左右一対の解除片１１ａは、後に詳述するようにスライダ１３の開口部１３ｂ内側の左右対称位置にあるテーパ面１３ａに当接するよう当該テーパ面１３ａとは相補的な関係となっている。
【００２７】
すなわち、前記本体フレーム７の外周面にはハウジング状のスライダ１３が装着され、図１および図３に示すように、当該本体フレーム７の両側面における前側に設けたストッパ１４ａと後側に所定の間隔を置いて設けたストッパ（図示せず）とによってスライダ１３の軸方向移動が規制されている。このスライダ１３は、図１（ａ）、図１（ｂ）、図２（ａ）、図２（ｂ）に示すように、上面の前端側が若干斜め前方に向けて隆起され、この隆起した内側が本体フレーム７に面する上側において、解除レバー１１が軸方向に対して略直角方向に変位可能とする空間を形成すべく略コ字形アーチ状となった開口部１３ｂが前後方向に貫設され、該開口部１３ｂ内側の左右対称部分は本体フレーム７先端側に向けて傾斜したテーパ面１３ａとなっている。このテーパ面１３ａに前記解除レバー１１の傾斜した後端部における左右一対の解除片１１ａが係合される。
【００２８】
また、図１（ａ）、図１（ｂ）、図２（ａ）、図２（ｂ）、図３（ａ）、図３（ｂ）に示すように、スライダ１３の開口部１３ｂ後側には隆起位置から後方に向かって末広がりとなった左右一対の突壁面状の把持部１５ａが延設され、且つ、左右の把持部１５ａの間には、スライダ１３操作時に指先で把持するための矩形凸形状の操作部１５を備えている。これら操作部１５および把持部１５ａの上面には滑り止め用のローレット目が形成されている。この操作部１５は、上部である頭部が幅広であって、下部である根元部分が前方および側面に括れ部１５ｂが形成されている。そして、この操作部１５には、後述する引抜タブ１７が掛止め機構１９としての突片部１８のセット穴１９ａを介して、括れ部１５ｂの前方側に引掛かけられ係止されるようにして装着される（図１（ｂ）、図２（ｂ）、図３（ｂ）参照）。因みに、このとき、左右一対の把持部１５ａによって引抜タブ１７の左右両側縁が挟み込まれることで当該引抜タブ１７の回転が規制されるものとなっている。また、この操作部１５に対応してスライダ１３の下面の後端部には、図１（ａ）、図１（ｂ）、図２（ａ）、図２（ｂ）に示すように、若干小さな傾斜をもって断面略スカート形の突起状となった下側操作部１６が形成されている。
【００２９】
前記プラグ本体１の図９（ｂ）に示すアダプタ５０への装着時には、前記解除レバー１１の係止片１２によってプラグ本体１とアダプタ５０とが係合されるようになっている。すなわち、この解除レバー１１は、プラグ本体１のアダプタ５０への装着時には、係止片１２がアダプタ５０のプラグ挿入孔５０ａ内に挿入されることによって押圧され、当該係止片１２と共に下方へ変位しながら装着される。そして、前記アダプタ５０の上方に形成されている係止溝５０ｂに係止片１２が弾性的に係止されることで、当該係止片１２とアダプタ５０が係合可能となる。すなわち、前記係止片１２と解除レバー１１はカップリングスリーブ２上面の前端側に形成され、一方のストッパ１４ａは本体フレーム７両側面の前端側下縁部に各形成され、他方のストッパ（図示せず）は本体フレーム７両側面の後端側中央部に各形成されている。このアダプタ５０への装着に際し、プラグ本体１はスライダ１３を介して間接的に操作される。この場合、スライダ１３をアダプタ５０方向に移動するとストッパ１４ａに移動が規制されてプラグ本体１はアダプタ５０に装着可能となり、係止片１２と解除レバー１１はアダプタ５０のプラグ挿入孔５０ａの下方へ変位した後係止溝５０ｂ内に入り込み、係止片１２とアダプタ５０が係合する。
【００３０】
一方、前記プラグ本体１のアダプタ５０からの抜脱時には、スライダ１３を抜脱方向に移動するとスライダ１３のテーパ面１３ａで解除レバー１１の前記解除片１１ａを押し下げることで、係止片１２とアダプタ５０の係合が解除される。このとき、後部側のストッパの位置は、スライダ１３の移動により、係止片１２とアダプタ５０との係合が外れた位置よりも少なくとも後方にあるため、スライダ１３を後方の抜脱方向に移動操作した際には、スライダ１３は移動が規制され、前記プラグ本体１を後方へ作用させる力が発生し、したがって、アダプタ５０からのプラグ本体１の抜脱が可能となる。このとき、前記スライダ１３はアダプタ５０から抜脱されると同時に解除レバー１１の弾性力により初期位置に復帰する。一方、前記スライダ１３を前方の装着方向に移動操作した際には、当該スライダ１３は前部位置のストッパ１４ａに移動が規制され、プラグ本体１を前方へ作用させる力が発生し、したがって、アダプタ５０へのプラグ本体１の装着が可能となる。
【００３１】
＜引抜タブの構成＞
以上のＬＣ型単心の光コネクタプラグを基本構成として、本発明の特徴とする引抜タブの具体的構成について説明する。なお、
【００３２】
図１（ａ）、図１（ｂ）、図２（ａ）、図２（ｂ）に示すように、前記スライダ１３の操作部１５には、当該スライダ１３を後方の光コードＫ側（熱収縮チューブ９の位置側）で操作可能とする帯板状の引抜タブ１７を装着可能にしてあり、この引抜タブ１７を抜脱方向（後方の光コードＫ側）に移動させることでスライダ１３が連動して抜脱方向に移動するようにしてある。すなわち、前記引抜タブ１７の前端側には当該引抜タブ１７よりも幅の狭い矩形平板状の突片部１８が形成され、この突片部１８の中央には、スライダ１３の操作部１５の頭部を挿入するための掛止め機構１９を構成する矩形開口状のセット穴１９ａが開口されている。なお、前記操作部１５の頭部下側の括れ部１５ｂにはこのセット穴１９ａの内縁前方側が係止されことで不用意に抜脱されないようになっている。
【００３３】
また、前記引抜タブ１７の後端側には当該引抜タブ１７よりも幅の狭い把持部２２を形成してある。この把持部２２は、引抜タブ１７の後端縁から湾曲状の括れを介して平面視略長円形状となって形成され、側面には手で持って操作可能とするようローレット目を形成してある。さらに、この把持部２２の下面の最後端には、支持部２０を構成する下向きＣリング状（Ｃリングの切れ目が下方に向いている）のフック２０ａが形成され、前記引抜タブ１７自体が光コードＫを覆う熱収縮チューブ９の曲がりに追従して当該熱収縮チューブ９に取り付けられるようにしてある。すなわち、前記Ｃリング状のフック２０ａの切れ目に熱収縮チューブ９が挿入される際には、当該切れ目が若干拡開されつつ熱収縮チューブ９が強制的に嵌合され、嵌合後には前記Ｃリング状のフック２０ａの弾性復帰により切れ目が元の状態に収縮し、熱収縮チューブ９はフック２０ａによって把握され、スライド自在に支持された状態となる。なお、前記引抜タブ１７を図示のものより長尺に形成し、フック２０ａを熱収縮チューブ９後方の光コードＫに保持させるようにしても良い。そして、前記引抜タブ１７の上面略中央には、対象となるプラグ本体１の種別を明記したラベルを貼付するためのラベル貼付エリア１７ａを備えている。
【００３４】
次に、以上のように構成された本発明に係る光コネクタプラグの引抜タブの使用の一例について詳細に説明する。
【００３５】
前記プラグ本体１のアダプタ５０への装着時には、図１及び図２に示すように、前記スライダ１３の操作部１５に引抜タブ１７の掛止め機構１９を構成するセット穴１９ａを装着し、支持部２０を構成するＣリング状のフック２０ａの切れ目に熱収縮チューブ９を挿入する。そして、この引抜タブ１７の把持部２２を指先でもってアダプタ装着方向に移動する。このとき、操作部１５は前部位置のストッパ１４ａによって移動が規制され、アダプタ５０内にプラグ本体１が移動する。これと同時に、係止片１２はアダプタ５０のプラグ挿入孔５０ａの下方へ変位した後係止溝５０ｂ内に入り込み係止片１２とアダプタ５０が係合されることでプラグ本体１がアダプタ５０に装着される。
【００３６】
一方、前記プラグ本体１のアダプタ５０からの抜脱時には、前記引抜タブ１７の把持部２２を指先でもって抜脱方向に移動させることでスライダ１３は連動して同じ抜脱方向に移動され、このとき、前記スライダ１３のテーパ面１３ａで解除レバー１１の後端部における解除片１１ａを押し下げることで、アダプタ５０の係止溝５０ｂから係止片１２が外れるため、当該係止片１２とアダプタ５０の係合が解除される。さらに、前記把持部２２を介してスライダ１３が抜脱方向に移動すると後部側のストッパに移動が規制され、アダプタ５０からのプラグ本体１の抜脱が可能となる。また、前記スライダ１３はアダプタ５０から抜脱されると同時に解除レバー１１の弾性力により当該スライダ１３自体は初期位置に復帰する。以上、説明したように本例では、引抜タブ１７と光コードＫとの間への、隣接する引抜タブ１７の侵入による絡まりを未然に阻止することができる。
【００３７】
＜ＬＣ型単心の一対の光コネクタプラグの引抜タブの構成＞
次に、ＬＣ型単心の一対の光コネクタプラグを同時に操作するための単一のスライダに装着される引抜タブの構成について説明する。なお、１つのＬＣ型単心の光コネクタプラグの構成は、前記した本実施形態と同じなのでその詳細な説明は省略する。
【００３８】
図３（ａ）及び図３（ｂ）に示すように、スライダ１３の開口部１３ｂは左右一対となって形成されており、２つのＬＣ型単心の光コネクタプラグのプラグ本体１が各挿入されている。また、２つのプラグ本体１に対応して、当該スライダ１３には左右一対の操作部１５が設けられ、前記掛止め機構１９は、これら操作部１５に各係合するための引抜タブ１７のタブ先端に設けた左右一対の突片部１８の各中央に開口されたセット穴１９ａとなって形成されている。また、前記支持部２０は、左右一対の光コードＫをスライド自在となって把持するために、引抜タブ１７のタブ後方に湾曲状の括れを介して次第に拡径となって延設された略円柱状の把持部２２の下面の最後端において略ダブルリング状のフック２０ａとなって形成されている。なお、この略ダブルリング状のフック２０ａとは、例えば、切れ目が上方に向いた左右１対のＣリングの各端部同士を接合している形状、もしくは略Ｊ字型の帯片の切れ目部分が互いに反対向きとなって接合されている形状のフック２０ａである。
【００３９】
これにより、左右一対のプラグ本体１をアダプタ５０から同時に抜脱する際には、前記引抜タブ１７の把持部２２を指先でもって抜脱方向に移動させることでスライダ１３は連動して同じ抜脱方向に移動され、このとき、当該スライダ１３のテーパ面１３ａで左右の解除レバー１１の後端部における解除片１１ａ相互が同時に押し下げられることで、左右の解除レバー１１の各係止片１２とアダプタ５０の係止溝５０ｂとの係合が解除される。さらに把持部２２を介してスライダ１３が抜脱方向に移動すると後部側のストッパに移動が規制され、アダプタ５０からのプラグ本体１の抜脱が可能となる。以上、説明したように本例では、引抜タブ１７と一対の光コードＫとの間への、隣接する他の引抜タブ１７の侵入による絡まりを未然に阻止することができる。
【００４０】
＜ＬＣ型二心の光コネクタプラグの引抜タブの構成＞
次に、ＬＣ型二心の光コネクタプラグを基本構成として、本発明の特徴とする引抜タブの具体的構成について説明する。なお、カップリングスリーブ２、解除レバー１１等の構成は、前記した本実施形態と同じなのでその詳細な説明は省略する。
【００４１】
図４（ｂ）に示すように、ＬＣ型二心の光コネクタプラグを構成するプラグ本体１は、左右一対のカップリングスリーブ２を保持し、且つカップリングスリーブ２から後方に延びた左右一対の光ファイバ心線Ｆそれぞれを収容する矩形筐体状の保持体３１を備え、該保持体３１から後方に延びた一対の光ファイバ心線Ｆそれぞれを同時に収容した１本の光コードＫをブーツ１０によって保護している。そして、前記保持体３１の上面には、平板状のスライダ３２が前後方向にスライド自在となるよう設けられている。
【００４２】
図４（ａ）、（ｂ）及び図５（ａ）、（ｂ）に示すように、前記保持体３１は、上下二分割された上部ホルダー部３１ａと下部ホルダー部３１ｂとを備え、両者を上下方向から組み合せることによって構成される。そして、前記上部ホルダー部３１ａ中央には前後方向にガイド長孔３１ｃが形成され、該ガイド長孔３１ｃにスライダ３２の下部に設けられた脚部（不図示）に嵌挿されることによって当該スライダ３２が前後方向にスライドするようになっている。
【００４３】
また、図５（ａ）に示すように、前記スライダ３２の前端側下縁部には、左右両端と中央に略Ｌ字型突片状の係合突起３３が互いに開口部３２ａ側に向けてそれぞれ突設されており、これら係合突起３３に対応して上部ホルダー部３１ａの前端側上縁部に略コ字型長溝状係合凹部３４がそれぞれ突設されている。これら係合突起３３は図５（ｂ）に示すように、係合凹部３４に前方側から後方に向けて嵌り込むようになっている。その後後方から前方へ抜け出るようになっている。
【００４４】
前記スライダ３２の上面の前端側は、若干斜め前方に向けて隆起され、この隆起した内側が保持体３１に面する上側において、一対の解除レバー１１が軸方向に対して略直角方向に変位可能とする空間を形成すべく略コ字形アーチ状となった開口部３２ａが前後方向に貫設され、該開口部３２ａ内側の左右対称部分は前記保持本３１先端側に向けて傾斜したテーパ面３２ｂとなっている。このテーパ面３２ｂに前記解除レバー１１の傾斜した後端部における左右一対の解除片１１ａが係合される。なお、プラグ本体１のアダプタ５０への装着時には、前記解除レバー１１の係止片１２によってプラグ本体１と当該アダプタ５０とが係合されるようになっていることは前記した本実施形態の場合と同様である。
【００４５】
また、前記スライダ３２の上面後端には左右一対の係止凹部３５が設けられている。左右一対の係止凹部３５の相互間にはスリット部３６が形成され、各係止凹部３５の内面はこのスリット部３６を介して互いに内方に向けて開放されてなる。図４（ａ）、図５（ａ）、図６（ａ）に示すように、本例における掛止め機構２１は、前記左右一対の係止凹部３５相互にわたって係合するための引抜タブ１７のタブ先端に設けた平面視Ｔ字型の突片部２１ａとなって形成されている。そして、前記スライダ３２に引抜タブ１７が取り付けられる際には、この突片部２１ａのＴ字両端が前記左右一対の係止凹部３５相互にわたって係合され、且つＴ字中央が前記スリット部３６に係合されるものとしてある。
【００４６】
一方、引抜タブ１７のタブ後端の一端側面からは下方に湾曲した把持部２２が延設され、把持部２２の最後端には光コードＫを載せるための支持部２３を構成する横向きＬ字状（正面視で略コ字状もしくは略Ｕ字状）の引掛け部２３ａが形成されている。
【００４７】
これにより、ＬＣ型二心のプラグ本体１をアダプタ５０から同時に抜脱する際には、引抜タブ１７の把持部２２を指先でもって抜脱方向に移動させることでスライダ３２は連動して同じ抜脱方向に移動され、このとき、前記スライダ３２のテーパ面３２ｂで左右の解除レバー１１の後端部における解除片１１ａ相互が同時に押し下げられることで、前記同様左右の解除レバー１１の各係止片１２とアダプタ５０との係合が解除される。さらに、前記把持部２２をもってスライダ３２が抜脱方向に移動すると係合突起３３と係合凹部３４が互いに衝止して規制され、アダプタ５０からのプラグ本体１の抜脱が可能となる。以上、説明したように本例では、引抜タブ１７と光コードＫとの間への、隣接する他の引抜タブ１７の侵入による絡まりを未然に阻止することができる。
【００４８】
＜ＭＰＯ型の光コネクタプラグの引抜タブの構成＞
次に、ＭＰＯ型のプッシュプル方式による光コネクタプラグを基本構成として、本発明の特徴とする引抜タブの具体的構成について説明する。
【００４９】
ＭＰＯ型の光コネクタプラグを構成するプラグ本体１は、図７（ｂ）に示すように、スリーブ状のハウジング４１の先端（前端）に、光ファイバテープ心線ＦＴ先端に取り付けられたフェルール４２を収納している。このハウジング４１内には、前記フェルール４２をプラグ本体１前側へ弾性付勢するスプリング（図示せず）を具備している。また、このハウジング４１に外挿して該ハウジング４１に対してその軸線方向に確保した可動範囲でスライド移動可能に設けられた筒状のカップリング４３と、前記ハウジング４１の前記フェルール４２が設けられている前端とは反対の後端部に取り付けられたブーツ４４とを有する。
【００５０】
前記プラグ本体１のアダプタ５０に対する挿入は、当該プラグ本体１における前記カップリング４３から後側に位置する部分、例えばハウジング４１を作業者が手指で当該アダプタ５０に向かって押圧して行う。また、前記プラグ本体１のアダプタ５０からの抜脱は、前記ハウジング４１側に前記カップリング４３を引き込むことで行う。
【００５１】
図７（ａ）、図８（ａ）、図８（ｂ）に示すように、前記操作部１５として用いられるカップリング４３には、当該カップリング４３を後方の光ファイバテープ心線ＦＴ側で操作可能とする引抜タブ１７が着脱可能に装着される。この引抜タブ１７は、前記カップリング４３に側方から係合させるために、前記引抜タブ１７のタブ先端に設けられた横向きコ字状枠４５ａからなる掛止め機構４５（横向きとなったコ字枠の片側面がタブ先端に固定）と、当該引抜タブ１７のタブ後方の片側から縦向きに延設された平板状の把持部４６とを備えている。この把持部４６の側面の最後端には断面略紡錘形状の後部突起４７ａが横向きに突設されると共に、前記把持部４６の側面の略中間には断面略楕円形状の中間突起４７ｂが横向きに突設され、前記後部突起４７ａおよび中間突起４７ｂの相互によって光ファイバテープ心線ＦＴを上下交互に引掛け渡してスライド自在となって光ファイバテープ心線ＦＴを把持可能とした支持部４７を備えている。
【００５２】
これにより、前記プラグ本体１をアダプタ５０から抜脱する際には、前記引抜タブ１７の光ファイバテープ心線ＦＴ側に位置する把持部４６を指先でもって抜脱方向に移動させることでカップリング４３は連動して同じ抜脱方向に移動され、アダプタ５０からプラグ本体１が離脱する。以上、説明したように本例では、引抜タブ１７と光ファイバテープ心線ＦＴとの間への、隣接する他の引抜タブ１７の侵入による絡まりを未然に阻止することができる。
【符号の説明】
【００５３】
Ｋ                  光コード
Ｆ                  光ファイバ心線
ＦＴ                光ファイバテープ心線
１                  プラグ本体
２                  カップリングスリーブ
３                  フェルール用チューブ
４                  フェルールフレーム
５                  フェルール
６                  スプリング
７                  本体フレーム
８                  カシメリング
９                  熱収縮チューブ
１０                ブーツ
１１                解除レバー
１１ａ              解除片
１２                係止片
１３                スライダ
１３ａ              テーパ面
１３ｂ              開口部
１４ａ              ストッパ
１５                操作部
１５ａ              把持部
１５ｂ              括れ部
１６                下側操作部
１７                引抜タブ
１７ａ              ラベル貼付エリア
１８                突片部
１９                掛止め機構
１９ａ              セット穴
２０                支持部
２０ａ              フック
２１                掛止め機構
２１ａ              突片部
２２                把持部
２３                支持部
２３ａ              引掛け部
３１                保持体
３１ａ              上部ホルダー部
３１ｂ              下部ホルダー部
３１ｃ              ガイド長孔
３２                スライダ
３２ａ              開口部
３２ｂ              テーパ面
３３                係合突起
３４                係合凹部
３５                係止凹部
３６                スリット部
４１                ハウジング
４２                フェルール
４３                カップリング
４４                ブーツ
４５                掛止め機構
４５ａ              横向きコ字状枠
４６                把持部
４７                支持部
４７ａ              後部突起
４７ｂ              中間突起
５０                アダプタ
５０ａ              プラグ挿入孔
５０ｂ              係止溝
１００Ａ、１００Ｂ  光コネクタプラグ
１０１Ａ、１０１Ｂ  引抜タブ
１０２Ａ、１０２Ｂ  フック
１０３Ａ、１０３Ｂ  光ファイバコード
【図１】
2018049045.tif 000003
【図２】
2018049045.tif 000004
【図３】
2018049045.tif 000005
【図４】
2018049045.tif 000006
【図５】
2018049045.tif 000007
【図６】
2018049045.tif 000008
【図７】
2018049045.tif 000009
【図８】
2018049045.tif 000010
【図９】
2018049045.tif 000011